(57)【要約】【課題】  電気機器収納箱のドアを安全且つ容易に着脱することができる電気機器収納箱用蝶番構造を提供する。【解決手段】  ピン挿入孔５ａを有する筒型状のドア側蝶番５と、ピン挿入孔３ａを有する第１の筒型軸受け部３とピン挿入孔４ａを有する第２の筒型軸受け部４とがドア側蝶番５を収納する距離以上に空間部１１を介して離間して同軸上に形成してなるボデー側蝶番１とを用いて、第１の蝶番ピン６を第１の筒型軸受け部３のピン挿入孔３ａに挿入し第２の蝶番ピン８を第２の筒型軸受け部４のピン挿入孔４ａに挿入して、第１の蝶番ピン６の第１の溝６ａ、６ａに嵌着させた開閉自在な円筒型の蝶番ピン保持具９を空間部１１に配置させるとともに、ドア側蝶番５のピン挿入孔５ａに第１の蝶番ピン６の他端と第２の蝶番ピン８の他端とを挿入してドア側蝶番５を空間部１１に配置させてドア２が回転可能に軸支された電気機器収納箱用蝶番構造である。【選択図】  図１
0003140610.tif 000002
【実用新案登録請求の範囲】
【請求項１】
ピン挿入孔を有する筒型状のドア側蝶番と、ピン挿入孔を有する第１の筒型軸受け部とピン挿入孔を有する第２の筒型軸受け部とが該ドア側蝶番を収納する距離以上に空間部を介して離間して同軸上に形成してなるボデー側蝶番とを用いて、電気機器収納箱のボデーにドアを回転動作させる電気機器収納箱用蝶番構造において、一端にフランジを有し他端に２条の第２の溝を有する第１の蝶番ピンを第１の筒型軸受け部のピン挿入孔に挿入して他端の第１の溝を該空間部に突出させ、中間にフランジを有し一端に第２の溝を有する第２の蝶番ピンを第２の筒型軸受け部のピン挿入孔に挿入して該空間部と反対側に突出させて該第２の溝にＵ型金具を嵌着させて他端を該空間部に突出させた構成で、該第１の蝶番ピンの第１の溝に嵌着させた開閉自在な円筒型の蝶番ピン保持具を該空間部に配置させるとともに、第１の蝶番ピンの他端と第２の蝶番ピンの他端とをドア側蝶番のピン挿入孔に挿入したドア側蝶番を該空間部に配置させてドアが回転可能に軸支されてなることを特徴とする電気機器収納箱用蝶番構造。
【考案の詳細な説明】
【技術分野】
【０００１】
本考案は、電気機器収納箱に使用する着脱式蝶番に関するものである。
【背景技術】
【０００２】
従来、左右一対の羽根板の軸筒部に軸ピンを挿入して、羽根板を回動可能に連結するドア用蝶番として特許文献１のような発明が提案されており、この種の蝶番として、ボデー側蝶番１０３にピン挿入孔を有する第１の筒型軸受け部１０６とピン挿入孔１０５ａを有する第２の筒型軸受け部１０５とがドア側蝶番１０４を収納する距離以上に空間部１１を介して離間して同軸上に形成されており、この空間部１１にピン挿入孔１０４ａを有するドア側蝶番１０４を配置させ、一端に溝１０２を有する１本の蝶番ピン１０１を第１の筒型軸受け部１０６と第２の筒型軸受け部１０５に挿入してＵ型金具１０を溝１０２に嵌着させて、ボデー側蝶番とを着脱する電気機器収納箱用蝶番の構造を図７に示す。第１の筒型軸受け部１０６と第２の筒型軸受け部１０５との中心径を手探りで合わせた状態でドアを保持し蝶番ピン１０１をボデー側蝶番１０３とドア側蝶番１０４を貫通するまで挿入し回転動作を実現していた。また、蝶番ピン１０１の一端に設けた溝１０２にＵ型金具１０をペンチ等の工具を用いて嵌着させ、蝶番ピン１０１の抜け止めをしていた。また、電気機器収納箱のドアに穴加工等の二次的加工を施す必要がある際は、Ｕ型金具１０をペンチ等の工具を利用して引き抜いた後、蝶番ピン１０１の引き抜く際は、三つの同軸上に並ぶドア側蝶番１０４、第１の筒型軸受け部１０６および第２の筒型軸受け部１０５が干渉しているため、ドア荷重の原因により中心軸にズレが生じ、蝶番ピン１０１に荷重ストレスがかかり、蝶番ピン１０１の一端をハンマー等で下方から上方に向けて叩いていた。
【０００３】
【特許文献１】特開平８−１９３４５４号公報
【考案の開示】
【考案が解決しようとする課題】
【０００４】
しかしながら、上記従来の電気機器収納箱用蝶番の構造では、ドア着脱を行う際、蝶番ピンを抜き取ったと同時にドアが脱落する危険性があるので、蝶番ピンを抜き取る作業者のほかにドアを補助する別の作業者を必要とするという課題を有していた。
【０００５】
本考案は、前記従来の課題を解決するもので、一人の作業者で安全に且つ工具を必要とせず容易にドアの着脱が可能となる電気機器収納箱用蝶番を提供することを目的とする。
【課題を解決するための手段】
【０００６】
本考案の電気機器収納箱用蝶番は、ピン挿入孔を有する筒型状のドア側蝶番と、ピン挿入孔を有する第１の筒型軸受け部とピン挿入孔を有する第２の筒型軸受け部とが該ドア側蝶番を収納する距離以上に空間部を介して離間して同軸上に形成してなるボデー側蝶番とを用いて、電気機器収納箱のボデーにドアを回転動作させる電気機器収納箱用蝶番構造において、一端にフランジを有し他端に２条の第２の溝を有する第１の蝶番ピンを第１の筒型軸受け部のピン挿入孔に挿入して他端の第１の溝を該空間部に突出させ、中間にフランジを有し一端に第２の溝を有する第２の蝶番ピンを第２の筒型軸受け部のピン挿入孔に挿入して該空間部と反対側に突出させて該第２の溝にＵ型金具を嵌着させて他端を該空間部に突出させた構成で、該第１の蝶番ピンの第１の溝に嵌着させた開閉自在な円筒型の蝶番ピン保持具を該空間部に配置させるとともに、第１の蝶番ピンの他端と第２の蝶番ピンの他端とをドア側蝶番のピン挿入孔に挿入したドア側蝶番を該空間部に配置させてドアが回転可能に軸支されなることを特徴とする。
【考案の効果】
【０００７】
本考案の電気機器収納箱用蝶番は、ピン挿入孔を有する筒型状のドア側蝶番と、ピン挿入孔を有する第１の筒型軸受け部とピン挿入孔を有する第２の筒型軸受け部とが該ドア側蝶番を収納する距離以上に空間部を介して離間して同軸上に形成してなるボデー側蝶番とを用いて、電気機器収納箱のボデーにドアを回転動作させる電気機器収納箱用蝶番構造において、一端にフランジを有し他端に２条の第２の溝を有する第１の蝶番ピンを第１の筒型軸受け部のピン挿入孔に挿入して他端の第１の溝を該空間部に突出させ、中間にフランジを有し一端に第２の溝を有する第２の蝶番ピンを第２の筒型軸受け部のピン挿入孔に挿入して該空間部と反対側に突出させて該第２の溝にＵ型金具を嵌着させて他端を該空間部に突出させた構成で、該第１の蝶番ピンの第１の溝に嵌着させた開閉自在な円筒型の蝶番ピン保持具を該空間部に配置させるとともに、第１の蝶番ピンの他端と第２の蝶番ピンの他端とをドア側蝶番のピン挿入孔に挿入したドア側蝶番を該空間部に配置させてドアが回転可能に軸支されてなることにより、第１の蝶番ピンを抜き取っても第２の蝶番ピンがドアを保持し脱落を防止してくれるため、複数の作業者を必要とせず一人の作業者で安全且つ容易にドアを持ち上げるだけで着脱することができる。
【０００８】
また本考案の電気機器収納箱用蝶番は、ドアの荷重が第２の蝶番ピンと第２の筒型軸受け部で保持するため、第１の蝶番ピンに余分な荷重がかからないので、該第１の蝶番ピンの二つの溝に嵌着した蝶番ピン保持具を開いて第１の蝶番ピンを指で着脱出来るので、取り外し工具等を事前に準備するが必要なくなる。
【考案を実施するための最良の形態】
【０００９】
以下、本考案の実施の形態について、図1〜図６に基づいて説明する。なお、この実施の形態によって本考案が限定されるものではない。
【００１０】
図1において、電気機器収納箱はボデー１とドア２とからなり、ドア２は上下一対の蝶番で開閉される。この蝶番はドア側蝶番５とボデー側蝶番７とを有する。
【００１１】
図２において、ボデー側蝶番７はＬ状で、ピン挿入孔３ａを有する第１の筒型軸受け部３とピン挿入孔４ａを有する第２の筒型軸受け部４とがドア側蝶番５を収納する距離以上に空間部１１を介して離間して同軸上に形成されている。第２の蝶番ピン８は中間にフランジ８ｂが一端に第２の溝８ａがそれぞれ形成されており、図３に示すように、第２の蝶番ピン８は第２の筒型軸受け部４のピン挿入孔４ａに挿入して一端の第２の溝８ａを空間部１１と反対側に突出させて第２の溝８ａにＵ型金具１０を嵌着させる。
【００１２】
図３において、ドア２にはピン挿入孔５ａを有する筒型状のドア側蝶番５が固着されている。一方、ボデー１においては、第１の蝶番ピン６は一端にフランジ６ｂが他端に２条の第１の溝６ａ、６ａがそれぞれ形成されている。第１の蝶番ピン６の第１の溝６ａ、６ａに開閉自在な円筒型の蝶番ピン保持具９が空間部１１において配置するように嵌着する。開閉自在な円筒型の蝶番ピン保持具９は、図６に示すように、弾力性能を有する樹脂素材を使用したもので、形状は円筒型で蝶番ピン保持具の半円弧状の２つの内方突片９ａ、９ａを第１の蝶番ピン６にある２条の第１の溝６ａ、６ａに嵌まり込む形と合致できる寸法とし、切断両面の各平面部の一方に引掛け用突起部９ｄを設け、相対する面に引掛け用突起部９ｂを収納できる突起部収納用開口部９ｃを有する構造とすることとし、指先を交差して開閉できる支持部９ｄを有する構造とすることによって容易に蝶番ピン保持具９の着脱が可能となり、第１の蝶番ピン６にある２条の第１の溝６ａ、６ａに沿って嵌着が可能となるため、ドア２の開閉による第１の蝶番ピン６の浮き上がり防止効果を得ることができる。
【００１３】
以上のように構成された上下一対の電気機器収納箱用蝶番について、図３〜図６に基づいて以下、その動作、作用を説明する。
【００１４】
まず、図３において、ボデー側蝶番７と一体となっている第２の筒型軸受部４に第２の蝶番ピン８を挿入してＵ型金具１０を第２の蝶番ピン８の一端にある第２の溝８ａに嵌着させることにより、他端が空間部１１に配置した状態で、第２の蝶番ピン８が第２の筒型軸受部４から抜け落ちない状態に組立てる。次に、ドア２を持ち上げて、ドア側蝶番５を空間部１１に配置させてドア側蝶番５のピン挿入孔５ａに第２の蝶番ピン８を挿入することにより、ドア２をボデー１に仮取り付けを行う。
【００１５】
次に、図４において、ドア２をボデー１に仮取り付け状態において、第１の蝶番ピン６をボデー側蝶番７と一体となっている第１の筒型軸受部３にある第１の軸受部のピン挿入孔３ａから同軸上にあるドア側蝶番５に向けて挿入することによって、ドア側蝶番５に対して上から第１の蝶番ピン６を下から第２の蝶番ピン８で挟み込む (図５参照)。
【００１６】
このようにして、空間部１１に配置したドア側蝶番５のピン挿入孔５ａに第１の蝶番ピン６の他端と第２の蝶番ピン８の他端とを挿入してドア２をボデー１に回転可能に軸支されるが、ドア２を開閉させる際に生じるドア側蝶番５と第１の蝶番ピン６との回転摩擦力で第１の蝶番ピン６に浮き上がりが生じ、第１の蝶番ピン６が自然に抜け落ちる可能性があるため、図６に示すように、空間部１１に配置した開閉自在な円筒型の蝶番ピン保持具９で第１の蝶番ピン６の第１の溝６ａ、６ａに嵌着してドア２の開閉による第１の蝶番ピン６の浮き上がり防止効果を得ることができる。
【００１７】
また、ボデー１からドア２を取り外すための一連の動作は、図１において指先で着脱自在な蝶番ピン保持具９を蝶番ピン６から取り除き、第２の蝶番ピン８がドア２を保持することによりドア２の回転動作の中心軸がズレないため、第１の蝶番ピン６に余分なストレスがかからずスムーズに第１の蝶番ピン６を抜き取ることができ、またドア２に固着されたドア側蝶番は、ドア２を持ち上げることによって、第２の蝶番ピン８から抜き取ることができるのでドア２を安全且つ容易に一人の作業者で取り外すことができる。その際、上記一連の動作において、第２の蝶番ピン８の一端に取り付けられているＵ型金具１０は取り外す必要がないため、ドア２を取り外す際に事前に工具等を準備する必要がなくなる。
【図面の簡単な説明】
【００１８】
【図１】本考案における電気機器収納箱のドア開放状態の蝶番全体図を示す。
【図２】本考案における回転軸取り付け途上を表す斜視図である。
【図３】本考案におけるドア取り付け途上の状態を表す斜視図である。
【図４】本考案における蝶番ピン取り付け途上を表す斜視図である。
【図５】本考案における蝶番ピン取り付け後を表す斜視図である。
【図６】本考案における蝶番ピン保持具の取り付け途上を表す斜視図である。
【図７】従来の電気機器収納箱用蝶番の全体斜視図である。
【符号の説明】
【００１９】
１    ボデー
２    ドア
３    第１の筒型軸受け部
４    第２の筒型軸受け部
５    ドア側蝶番
６    第１の蝶番ピン
７    ボデー側蝶番
８    第２の蝶番ピン
９    蝶番ピン保持具
１０  Ｕ型金具
１１  空間部
３ａ  ピン挿入孔
４ａ  ピン挿入孔  
５ａ  ピン挿入孔
６ａ  第１の溝
６ｂ  フランジ
８ａ  第２の溝
８ｂ  フランジ
９ａ  内方突片
９ｂ  引掛け用突起部
９ｃ  突起部収納用開口部
９ｄ  開閉できる支持部
【図１】
0003140610.tif 000003
【図２】
0003140610.tif 000004
【図３】
0003140610.tif 000005
【図４】
0003140610.tif 000006
【図５】
0003140610.tif 000007
【図６】
0003140610.tif 000008
【図７】
0003140610.tif 000009